(57)【要約】【課題】昇降機底部に残粒を回収するためのポケットを備える引出部を昇降機内に昇降機と一体形成して設けて、コストダウンを図るとともに、機能的かつコンパクトな籾摺選別装置を提供する。【解決手段】籾還元昇降機７の底部に引出可能な引出部３１を備えるとともに、引出部３１の引出方向下手側に穀粒回収用のポケット３３を備えるものである。また、ポケット３３は、籾還元昇降機７の底部に設けた仕切板３９の下方に配置し、ポケット３３の容積ｖ´は、引出部３１上方であって、引出部３１と、籾還元昇降機７のバケット７ａの軌跡ｌとの間に有するスペースｓの容積ｖに略等しい。そして、引出部３１は、機体中央部に設けた籾還元昇降機７に、機体の前方向もしくは後方向に引き出し可能に備える。【選択図】図７
2009072692.tif 000002
【特許請求の範囲】
【請求項１】
穀粒を揚穀する昇降機を備える籾摺選別装置において、
前記昇降機の底部に引出可能な引出部を備えるとともに、前記引出部の引出方向下手側に穀粒回収用のポケットを備えることを特徴とする籾摺選別装置。
【請求項２】
前記ポケットは、前記昇降機の底部に設けた仕切板の下方に配置することを特徴とする、請求項１に記載の籾摺選別装置。
【請求項３】
前記ポケットの容積は、前記引出部上方であって、前記引出部と、前記昇降機のバケットの軌跡との間に有するスペースの容積に略等しいことを特徴とする、請求項１に記載の籾摺選別装置。
【請求項４】
前記引出部は、機体中央部に設けた籾還元昇降機に、機体の前方向もしくは後方向に引き出し可能に備えることを特徴とする、請求項１に記載の籾摺選別装置。
【発明の詳細な説明】
【技術分野】
【０００１】
本発明は、穀粒を揚穀する昇降機を備える籾摺選別装置に関し、より詳細には、昇降機の底部に引出可能な引出部を備えるとともに、引出部の引出方向下手側に穀粒回収用のポケットを備えることに関する。
【背景技術】
【０００２】
従来の籾摺選別装置には、例えば、風選部と、揺動選別部との間であって、風選部で風選した穀粒を、揺動選別部に供給する混合米タンク内に揚穀するための昇降機を備え、この昇降機は、下部に穀粒供給口および上部に穀粒排出口が設けられ、さらに昇降機内の上部と下部にそれぞれ設けられたプーリを巻装するベルトには、一定間隔で複数のバケット１０が取付けられるとともに、昇降機内側壁には、昇降機内底部に噴射口を向けたエアノズルを備えるものがある。（特許文献１）
【０００３】
【特許文献１】特開２００７−４５６２８号公報
【発明の開示】
【発明が解決しようとする課題】
【０００４】
しかし、このような従来の籾摺選別装置では、昇降機底部に溜った残粒を除去する際、エアノズルからエアなどを噴射して吹き上げられた残粒を、バケットで掬い、混合米タンクに揚穀するが、これでは昇降機底部に溜った残粒を容易に全て除去することができない。そこで、昇降機底部にシャッターを設け、このシャッターを開放して残粒除去を行うものもあるが、この場合、シャッター開放時に残粒を落下させるスペースが必要となり、籾摺選別装置の高さを低くすることができず、装置のコンパクト化が図れないとともに、さらには、落下させた残粒を回収するために別途受け皿などを設置する必要もあり、無駄にコストアップしてしまうという問題があった。
そこで、この発明の目的は、昇降機底部に残粒を回収するためのポケットを備える引出部を昇降機内に昇降機と一体形成して設けることで、コストダウンを図るとともに、機能的かつコンパクトな籾摺選別装置を提供することにある。
【課題を解決するための手段】
【０００５】
このため、請求項１に記載の発明は、穀粒を揚穀する昇降機を備える籾摺選別装置において、前記昇降機の底部に引出可能な引出部を備えるとともに、前記引出部の引出方向下手側に穀粒回収用のポケットを備えることを特徴とする。
【０００６】
請求項２に記載の発明は、前記ポケットは、前記昇降機の底部に設けた仕切板の下方に配置することを特徴とする。
【０００７】
請求項３に記載の発明は、前記ポケットの容積は、前記引出部上方であって、前記引出部と、前記昇降機のバケットの軌跡との間に有するスペースの容積に略等しいことを特徴とする。
【０００８】
請求項４に記載の発明は、前記引出部は、機体中央部に設けた籾還元昇降機に、機体の前方向もしくは後方向に引き出し可能に備えることを特徴とする。
【発明の効果】
【０００９】
請求項１に記載の発明によれば、穀粒を揚穀する昇降機を備える籾摺選別装置において、昇降機の底部に引出可能な引出部を備えるとともに、引出部の引出方向下手側に穀粒回収用のポケットを備えるので、別途残粒回収のためのスペースを昇降機の底部に設けるとともに、残粒回収用の受け皿などを設ける必要がなく、揚穀後に昇降機の底部に残った穀粒を、引出部を引き出すことによりポケットに収納して容易に回収することができる。従って、作業性が向上するとともに、コストダウンを図り、機能的かつコンパクトな籾摺選別装置を提供することができる。
【００１０】
請求項２に記載の発明によれば、ポケットは、前記昇降機の底部に設けた仕切板の下方に配置するので、引出部を引き出す際に、引出部の上面に残留した穀粒を、仕切板によってポケット内に誘導して、容易に収納することができる。従って、作業性を向上させた籾摺選別装置を提供することができる。
【００１１】
請求項３に記載の発明によれば、ポケットの容積は、引出部上方であって、引出部と、昇降機のバケットの軌跡との間に有するスペースの容積に略等しいので、揚穀後に昇降機の底部に残った穀粒の全量を、引出部を引き出すことにより、昇降機の底部にあふれこぼすことなく、ポケットに収納して容易に回収することができる。従って、作業性を向上させた籾摺選別装置を提供することができる。
【００１２】
請求項４に記載の発明によれば、引出部は、機体中央部に設けた籾還元昇降機に、機体の前方向もしくは後方向に引き出し可能に備えるので、籾還元昇降機の底部に残留した穀粒を、籾ホッパ内に容易、かつ迅速に還元することができるとともに、機体の左右方向に引き出し幅を必要とせず、装置設置の自由度を向上することができる。従って、作業性が向上するとともに、コンパクトな籾摺選別装置を提供することができる。
【発明を実施するための最良の形態】
【００１３】
以下図面を参照しつつ本発明を実施するための最良の形態について説明する。
図１は、この発明の一例としての籾摺選別装置の左側面図、図２は籾摺選別装置を左前方からみた斜視図、図３は籾摺選別装置の平面図、図４は籾摺選別装置内部の側面模式図である。
【００１４】
この例の籾摺選別装置１は、図１〜図３に示すように、機体上部中央に籾ホッパ２と、この籾ホッパ２の側面視背面には、混合米昇降機３と混合米タンク４が連設される。さらに機体前端には、籾殻排出筒５および機体後端に玄米昇降機６が備えられ、玄米昇降機６の上部後端に仕上米出口９が設けられている。また、機体中央の左側部には、籾還元昇降機７が設けられる。
【００１５】
そして、図４に示すように、主軸１１ａと副軸１１ｂとからなる籾摺ロール１１ｃを有する籾摺部１１の下方には、籾摺ロール１１ｃで籾摺され、得られた粃や玄米などの混合米（混合穀粒）が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の小米を含む粃（中間穀粒）が落下する粃排出樋１４、さらに粃排出樋１４の後部には、混合米中の籾や玄米（選別穀粒）が落下する混合米受樋１５などが列設される。なお、図１〜２は、籾摺部１１の内部が見えるようにカバー２４を開けた状態が示されたものである。
【００１６】
混合米受樋１５に落下した籾や玄米を搬送する図示しない螺旋の搬送終端側は、側面視機体背面側に立設され、複数のバケット３ａを備える混合米昇降機３に連通し、この混合米昇降機３の揚穀終端側は混合米タンク４に連通されている。
【００１７】
さらに、混合米タンク４の下方には、混合米を搬送する均分樋１７を有し、この均分樋１７の下方には揺動選別部１８が備えられる。この揺動選別部１８は、均分樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１８】
揺動選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図４に示す複数のバケット７ａを備える籾還元昇降機７に連通され、この籾還元昇降機７の上部は、籾ホッパ２に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米昇降機６が立設される。なお、ベルトに取付けられたバケット３ａ，６ａ，７ａは、それぞれ図示しない駆動モータにより回転するプーリで上下に循環される。
【００１９】
また、符号２３は、籾摺選別装置１を運転操作する操作盤で、装置各部を駆動制御する不図示のコントローラが内臓されている。
【００２０】
ここで、籾摺選別装置１を使用して籾摺作業を行うときは、籾ホッパ２に籾（原料穀粒）を供給し、操作盤２３の図示しないスイッチにより機体各部を駆動させ、籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００２１】
そして、風選路１２ａで風選された比較的軽い粃（小米を含む）は、粃出口１４から排出される。一方、重量の重い玄米と籾摺を損ねた籾との混合米は受樋１５に落下し、混合米昇降機３のバケット３ａで揚穀されて混合米タンク４に供給された後、均分樋１７および分配ケース１８ａを介して揺動選別板１８ｂに供給される。なお、粃出口１４から排出された粃を、図示しない粃還元装置を介して籾還元昇降機７内に移送し、バケット７ａにより籾ホッパ２に還元してもよい。
【００２２】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２３】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２４】
その結果、混合米が混合米用流路２０に落下し、受樋１５を介して再度選別部１８に搬送され、玄米は玄米用流路２１から玄米昇降機６のバケット６ａにより揚穀され、機外に取り出される。また、返り籾（返り穀粒）は籾用流路１９から流入した返り籾入口部１６ａを介して返り籾出口部１６ｂから籾還元昇降機７内に流入し、バケット７ａにより籾ホッパ２に還元され、再度籾摺される。
【００２５】
次に、本願発明の特徴である昇降機の引出部について、その具体的構成を説明する。図５は混合米昇降機下部の内部を示す左側面模式図、図６は引出部および混合米昇降機底部の平面断面模式図、図７は引出部を引き出した混合米昇降機下部を左側面方向から見た斜視図、図８は混合米昇降機の正面図である。
【００２６】
籾摺選別装置１には、昇降機として、混合米昇降機３、玄米昇降機６および籾還元昇降機７を備えており、ここでは、引出部の詳細を、籾還元昇降機７を用いて説明するが、混合米昇降機３および玄米昇降機６にも同様に備えられる、もしくは適用し得るものとする。
【００２７】
籾還元昇降機７の底部には、図５〜６に示すように、籾還元昇降機７における底部の一部を形成するとともに、籾還元昇降機７の外枠７ｃ（外側壁）に内設し、籾還元昇降機７に略同形状および略等しい大きさを有する、例えば機体前方（機体後方であってもよい）に引き出し可能な、籾還元昇降機７と同じ材質の金属製などからなる引出部３１が備えられる。
【００２８】
なお、籾還元昇降機７の底部における前部は開口されており、引出部３１の前面を、鉛直方向で籾還元昇降機７の前部側壁と一致させて、引出部３１が籾還元昇降機７の底部に収納される。
【００２９】
この引出部３１は、図６〜７に示すように、浅い箱型の収納ケースであって、前端部上面から後部の中途部まで上面が底シャッター３２で覆設されるとともに、後部上面は開口されたポケット３３が備えられる。なお、引出部３１が機体後方に向けて引き出される構成であれば、後端部上面から前部の中途部まで上面が底シャッター３２で覆設されるとともに、前部上面は開口されたポケット３３が備えられる。
【００３０】
そして、ポケット３３は、図５に示すように、引出部３１が籾還元昇降機７の底部に収納された状態においては、接触する底シャッター３２の上面から籾還元昇降機７の外枠７ｃの前後内壁に斜設された前後仕切板３９ａ，３９ｂ（仕切板３９）の、例えば後仕切板３９ｂ下方に位置するように備えられる。なお、前後仕切板３９ａ，３９ｂは、後述するバケット７ａの軌跡ｌに接触しない位置に設けられるとともに、籾還元昇降機７の底部に落下する穀粒を、引出部３１の前部および後部のポケット３３（ポケット３３は前部であってもよい）へ落下させず、底シャッター３２上面に誘導する。また、引出部３１の前面には、把持部３４が取付けられる。
【００３１】
籾還元昇降機７内には、図５に示すように、上下に設けられたプーリ３５（図中では下部のプーリ３５のみ示す）に巻回されるベルト３６に、等間隔で複数のバケット７ａが取付けられており、このバケット７ａが、プーリ３５の駆動によりベルト３６を介して籾還元昇降機７内の下部を下方向から上方向に反転する。そして、この反転の際に生じる各バケット７ａ先端部が円弧を描くように移動する軌跡ｌに接触せず、かつ軌跡ｌよりもやや低く、軌跡ｌと底シャッター３２との間に隙間ｃを有する位置に底シャッター３２を位置させるとともに、引出部３１は、この底シャッター３２を上面とする籾還元昇降機７底部までの高さｈを有する構成とされる。
【００３２】
さらに、底シャッター３２上であって、後述するエアノズル３７近傍の高さに至るまでの、底シャッター３２上および前後仕切板３９ａ，３９ｂ上と、バケット７ａの軌跡ｌとの間のスペースｓの容積ｖは、ポケット３３の容積ｖ´と略等しい容積とされる。
【００３３】
また、籾還元昇降機７下部内であって、例えば籾還元昇降機７の前後壁などには、混合米昇降機３の底部に溜った残粒を吹き上げて、バケット７ａ内に掬い入れて回収するための、複数のエアノズル３７が、噴射口を籾還元昇降機７の底部に向けて設けられる。これは、上述したように特開２００７−４５６２８号公報などに開示される周知技術であるため、詳述は省略する。
【００３４】
ここで、籾摺選別装置１の稼動時に、揺動選別部１８などから籾還元昇降機７に還元され、穀粒還元口７ｂやバケット７ａなどからこぼれて、籾還元昇降機７の底部に落下して残留した籾などの穀粒を回収する際には、装置の稼動を一時停止した後、オペレータは、図７に示すように、把持部３４を握って籾還元昇降機７から引出部３１が機体前方（後方でもよい）に引き出される。
【００３５】
このとき、底シャッター３２上および前後仕切板３９ａ，３９ｂ上に堆積した穀粒は、引出部３１の摺動に伴い、後仕切板３９ｂ上（前仕切板３９ａ上でもよい）を誘導されてポケット３３内に収納されるとともに、前仕切板３９ａ（後仕切板３９ｂでもよい）の下端部に接触して、ポケット３３内に落下し、引出部３１内に収納される。
【００３６】
その結果、混合米昇降機３前方（後方でもよい）に引き出された引出部３１から残粒が容易に取り出される。なお、籾還元昇降機７の底部に残留する穀粒量は、最大でも底シャッター３２上と、バケット７ａの軌跡ｌとの間であって、エアノズル３７近傍の高さまでのスペースｓに滞留する容積ｖ分となるため、ポケット３３の容積をこの容積ｖに等しいｖ´にしたことから、引出部３１を引き出した際、籾還元昇降機７の底部に残留する穀粒の全てをポケット３３に収納することができ、引出部３１を籾還元昇降機７の底部から引き抜いたときに、穀粒がポケット３３から溢れ出て、籾還元昇降機７の底部に残留してしまうことを防ぐことができる。
【００３７】
このような構成にすることで、揚穀後に籾還元昇降機７の底部に残った穀粒の全量を、引出部３１を引き出すことにより容易に回収できるとともに、それら残粒を籾ホッパ２などに迅速に還元することができる。また、引出部３１の引き出しに必要なスペースが、籾還元昇降機７の前後方向のみでよく、図８に示すように、引出部３１の左右周辺に、装置から突設される部材や、装置本体あるいは設置スペースの端部など障害物３８を有する場合であっても、引出部３１の引き出しが妨げられない。
【００３８】
また、機体の左右幅をさらに広く使用する必要がなく、装置設置の自由度を上げることができるとともに、籾還元昇降機７の底部に引出部３１を内設するため、別途残粒回収用の受け皿や、残粒回収のためのスペースを籾還元昇降機７の底部下方に設けたり、装置の高さを高くする必要がなく、コンパクトな装置にすることができる。そして、残粒回収時に、籾還元昇降機７底部におけるスペースｓの容積ｖと、引出部３１におけるポケット３３の容積ｖ´とが略等しいため、籾還元昇降機７の底部に残った穀粒の全量をポケット３３内に収納でき、それら残粒を容易に回収することができる。さらに、ポケット３３は、後仕切板３９ｂ（仕切板３９）の下方に配置するので、引出部３１を引き出す際に、底シャッター３２の上面に残留した穀粒を、後仕切板３９ｂによってポケット３３内に誘導するとともに、前仕切板３９ａに接触させてポケット３３内に容易に収納することができる。
【００３９】
一方、引出部３１内の残粒を回収後、引出部３１を籾還元昇降機７の底部に再び設置して、籾摺選別装置１を稼動させた際、バケット７ａの軌跡ｌと、底シャッター３２との間の隙間ｃの間隔が狭いため、籾還元昇降機７の穀粒還元口７ｂやバケット７ａからこぼれて籾還元昇降機７の底部に落下した残粒の堆積を少なくできるとともに、エアノズル３７からの噴風により籾還元昇降機７底部に有する残粒を吹き上げる際にも、隙間ｃの間隔が狭いため、吹き上げられた残粒がバケット７ａ内に掬い入れ易くなり、効率的に残粒を回収することができる。
【００４０】
なお、上述したように、引出部３１は、籾還元昇降機７への設置に限定されず、混合米昇降機３および玄米昇降機６などにも設置してもよく、その場合各昇降機においても上述同様の効果が得られる。また、これら昇降機は、バケット式に限定されず、スクリューコンベア式など他の方法で揚穀するものであってもよい。
【００４１】
以上詳述したように、この例の籾摺選別装置１は、穀粒を揚穀する籾還元昇降機７（昇降機）を備え、籾還元昇降機７の底部に引出可能な引出部３１を備えるとともに、引出部３１の引出方向下手側に穀粒回収用のポケット３３を備えるものである。加えて、ポケット３３は、籾還元昇降機７の底部に設けた仕切板３９の下方に配置し、ポケット３３の容積ｖ´は、引出部３１上方であって、引出部３１と、籾還元昇降機７のバケット７ａの軌跡ｌとの間に有するスペースｓの容積ｖに略等しい。そして、引出部３１は、機体中央部に設けた籾還元昇降機７に、機体の前方向もしくは後方向に引き出し可能に備える。
【図面の簡単な説明】
【００４２】
【図１】本発明の籾摺選別装置の一例を示す側面図である。
【図２】籾摺選別装置の平面図である。
【図３】籾摺選別装置の背面図である。
【図４】籾摺選別装置の内部構造を示す側面模式図である。
【図５】混合米昇降機下部の内部を示す左側面模式図である。
【図６】引出部および混合米昇降機底部の平面断面模式図である。
【図７】引出部を引き出した混合米昇降機下部を左側面方向から見た斜視図である。
【図８】混合米昇降機の正面図である。
【符号の説明】
【００４３】
１    籾摺選別装置
７    籾還元昇降機７
７ａ    バケット
７ｂ    穀粒還元口
７ｃ    外枠
３１    引出部
３２    底シャッター
３３    ポケット
３４    把持部
３５    プーリ
３６    ベルト
３７    エアノズル
３８    障害物
３９    仕切板
３９ａ    前仕切板
３９ｂ    後仕切板
ｃ    隙間
ｌ    軌跡
ｈ    高さ
ｓ    スペース
ｖ，ｖ´    容積
【図１】
2009072692.tif 000003
【図２】
2009072692.tif 000004
【図３】
2009072692.tif 000005
【図４】
2009072692.tif 000006
【図５】
2009072692.tif 000007
【図６】
2009072692.tif 000008
【図７】
2009072692.tif 000009
【図８】
2009072692.tif 000010